(57)【要約】【課題】この発明は、ケーブルの引込み方向によって、内部構成を変えることなく部品点数を削減でき縮小化することができるスイッチギヤを提供するものである。【解決手段】上下２段に配置された遮断器室の後方に配置されたケーブル室と、各遮断器室にまたがって配置された母線室と、遮断器室に隣接して配置された制御機器室と、上段側遮断器室の下部側端子と下段側遮断器室の上部側端子を接続する第１の接続導体と、第１の接続導体の後方に配置された母線と、母線と第１の接続導体間を接続する第２の接続導体と、母線室の上部側および下部側に配置された上部側ＣＴおよび下部側ＣＴと、上部側ＣＴを経由して後方に導出された上部側接続部を有する上部側ケーブル接続導体と、下部側ＣＴを経由して後方に導出され上部側ケーブル接続導体の上部側接続部と同方向に下部側接続部を有する下部側ケーブル接続導体とを備えたものである。【選択図】図１
2014150606.tif 000002
【特許請求の範囲】
【請求項１】
扉を有する箱体と、前記箱体の上端側および下端側に亘って上下２段に配置され上段側遮断器、下段側遮断器をそれぞれ収納する上段側遮断器室および下段側遮断器室と、前記上段側遮断器室および前記下段側遮断器室の後方に配置されたケーブル室と、前記ケーブル室中に前記上段側遮断器室および前記下段側遮断器室にまたがって配置された母線室と、前記上段側遮断器室および前記下段側遮断器室に隣接して配置された制御機器室と、前記母線室中に配置され前記上段側遮断器室の下部側端子と前記下段側遮断器室の上部側端子を接続する第１の接続導体と、前記第１の接続導体の後方に配置された母線と、前記母線と前記第１の接続導体間を接続する第２の接続導体と、前記母線室の上部側に配置された上部側ＣＴと、前記母線室の下部側に配置された下部側ＣＴと、前記上段側遮断器室の上部側端子から前記上部側ＣＴを経由して後方に向って前記母線室の後端近傍まで導出されケーブル引込方向に上部側接続部を有する上部側ケーブル接続導体と、前記下段側遮断器室の下部側端子から前記下部側ＣＴを経由して後方に向って前記母線室の後端近傍まで導出され前記上部側ケーブル接続導体の上部側接続部と同方向に下部側接続部を有する下部側ケーブル接続導体とを備えたことを特徴とするスイッチギヤ。
【請求項２】
箱体の前面に配置される扉と前記扉に設けられたハンドルとから構成される扉ユニットと、前記箱体の上端側に配置され上段側遮断器を収納する上段側遮断器室と前記上段側遮断器室に隣接して配置される上段側制御機器室とから構成される上段側遮断器室ユニットと、前記箱体の下端側に配置され下段側遮断器を収納する下段側遮断器室と前記下段側遮断器室に隣接して配置される下段側制御機器室とから構成される下段側遮断器室ユニットと、前記上段側遮断器室ユニットおよび前記下段側遮断器室ユニットにまたがって配置される母線室と前記上段側遮断器室の下部側端子と前記下段側遮断器室の上部側端子を接続する第１の接続導体と前記第１の接続導体の後方に配置された母線と前記母線と前記第１の接続導体間を接続する第２の接続導体とにより構成される母線室ユニットと、前記母線室の上部側に配置される上部側ＣＴと前記上段側遮断器室の上部側端子から前記上部側ＣＴを経由して後方に向って前記母線室の後端近傍まで導出されケーブル引込方向に上部側接続部を有する上部側ケーブル接続導体から構成される上部側ＣＴユニットと、前記母線室の下部側に配置される下部側ＣＴと前記下段側遮断器室の下部側端子から前記下部側ＣＴを経由して後方に向って前記母線室の後端近傍まで導出され前記上部側ケーブル接続導体の上部側接続部と同方向に下部側接続部を有する下部側ケーブル接続導体から構成される下部側ＣＴユニットと、前記箱体の裏面部に配置されるカバーユニットとを備え、前記各ユニットはユニット毎に分割され、分割された前記各ユニットを一体的に組み立てることにより前記箱体およびケーブル室が形成されることを特徴とするスイッチギヤ。
【請求項３】
扉を有する箱体と、前記箱体の上端側および下端側に亘って上下２段に配置され上段側遮断器、下段側遮断器をそれぞれ収納する上段側遮断器室および下段側遮断器室と、前記上段側遮断器室および前記下段側遮断器室の後方に配置されたケーブル室と、前記上段側遮断器室および前記下段側遮断器室との間に配置される母線室と、前記上段側遮断器室および前記下段側遮断器室に隣接して配置された制御機器室と、前記上段側遮断器室の下部側端子と前記下段側遮断器室の上部側端子を接続する第１の接続導体と、前記母線室内に配置され前記第１の接続導体の前方に配置された母線と、前記母線と前記第１の接続導体間を接続する第２の接続導体と、前記上段側遮断器室の後方側に配置された上部側ＣＴと、前記下段側遮断器室の後方側に配置された下部側ＣＴと、前記上段側遮断器室の上部側端子から前記上部側ＣＴを経由して下方側に向って導出されケーブル引込方向に上部側接続部を有する上部側ケーブル接続導体と、前記下段側遮断器室の下部側端子から前記下部側ＣＴを経由して上方側に向って導出され前記上部側ケーブル接続導体の上部側接続部と同方向に下部側接続部を有する下部側ケーブル接続導体とを備えたことを特徴とするスイッチギヤ。
【請求項４】
箱体の前面に配置される扉と前記扉に設けられたハンドルとから構成される扉ユニットと、前記箱体の上端側に配置され上段側遮断器を収納する上段側遮断器室と前記上段側遮断器室に隣接して配置される上段側制御機器室とから構成される上段側遮断器室ユニットと、前記箱体の下端側に配置され下段側遮断器を収納する下段側遮断器室と前記下段側遮断器室に隣接して配置される下段側制御機器室とから構成される下段側遮断器室ユニットと、前記上段側遮断器室および前記下段側遮断器室との間に配置される母線室と前記母線室中に配置される母線と前記上段側遮断器室の下部側端子と前記下段側遮断器室の上部側端子を接続する第１の接続導体と前記母線と前記第１の接続導体間を接続する第２の接続導体とにより構成される母線室ユニットと、前記上段側遮断器室の後方側に配置される上部側ＣＴと前記上段側遮断器室の上部側端子から前記上部側ＣＴを経由して下方側に向って導出されケーブル引込方向に上部側接続部を有する上部側ケーブル接続導体から構成される上部側ＣＴユニットと、前記下段側遮断器室の後方側に配置される下部側ＣＴと前記下段側遮断器室の下部側端子から前記下部側ＣＴを経由して上方側に向って導出され前記上部側ケーブル接続導体の上部側接続部と同方向に下部側接続部を有する下部側ケーブル接続導体から構成される下部側ＣＴユニットと、前記箱体の裏面部に配置されるカバーユニットとを備え、前記各ユニットはユニット毎に分割され、分割された前記各ユニットを一体的に組み立てることにより前記箱体およびケーブル室が形成されることを特徴とするスイッチギヤ。
【請求項５】
箱体の前面に配置される扉と前記扉に設けられたハンドルとから構成される扉ユニットと、前記箱体に配置され遮断器を収納する遮断器室と前記遮断器室に隣接して配置される制御機器室とから構成される遮断器室ユニットと、前記遮断器室の下方側に配置される母線室と前記母線室中に配置される母線と前記遮断器室の下部側端子から導出された第１の接続導体と前記母線と前記第１の接続導体間を接続する第２の接続導体とにより構成される母線室ユニットと、前記遮断器室の後方側に配置されるＣＴと前記遮断器室の上部側端子から前記ＣＴを経由して後方側に向って導出されケーブル引込方向に接続部を有するケーブル接続導体から構成されるＣＴユニットと、前記箱体の裏面部に配置されるカバーユニットとを備え、前記各ユニットはユニット毎に分割され、分割された前記各ユニットを一体的に組み立てることにより前記箱体およびケーブル室が形成されることを特徴とするスイッチギヤ。
【発明の詳細な説明】
【技術分野】
【０００１】
この発明は、例えば、電力の受電設備などに使用される金属閉鎖形のスイッチギヤに関するものである。
【背景技術】
【０００２】
従来のスイッチギヤとしては例えば図１２に示すものがあり、図１２は側断面図を示している。１はスイッチギヤの箱体、１ａは扉、２は上下２段に配置された遮断器室、３は上下に配置された前記遮断器室２をまたぐ形で配置した母線室、４は前記母線室３を包み込む形で前記遮断器室２の後方に配置したケーブル室、５は前記遮断器室２内に配置した引出し式の遮断器、６は遮断器室２内に配置され前記遮断器５と接離する母線側ブッシング、７は遮断器室２内に配置され前記遮断器５と接離するケーブル側ブッシング、１５は前記上下段の母線側ブッシング６どうしを接続するコ字状に折り曲げられた第１の接続導体、８は断面が平角状の３相の母線で、断面の長手方向を上下方向にして図１２の紙面の厚み方向に延在して配置している。そして、箱体１の前面側には制御機器室１３が配置されている。
【０００３】
１６は前記母線８と前記第１の接続導体１５との間を各相それぞれ１対１に接続するコ字状に折り曲げられた第２の接続導体である。母線室３の後端上下隅部は、角をとり斜め４５°に傾斜した平面すなわち面取り部を３ａ、３ｂを形成している。１７は３相一体に形成されたＣＴで、前記母線室３の上面及び下面に装着されている。このＣＴは、各相に対応したＣＴと３相一括して検出する零相ＣＴを一括して内蔵一体化している。１８は上側ケープル接続導体であり、上部遮断器室２の前記ケーブル側ブッシング７から前記ＣＴ１７を貫通しスイッチギヤの後方に向って水平に真っ直ぐ引出されており、前記面取り部３ａの上部近傍において斜め下方に折り曲げて接続部１８ａを形成している。１９は下側ケーブル接続導体であり、下部遮断器室２の前記ケーブル側ブッシング７から前記ＣＴ１７を貫通しスイッチギヤの後方に向って水平に真っ直ぐ引出されており、前記面取り部３bの下部近傍において斜め下方に折り曲げて接続部１９ａを形成している。
【０００４】
２０は負荷側に接続されスイッチギヤの下部から端部を立上げた上側ケーブルで、端子２０ａを介して接続部１８ａと接続する。２１は負荷側に接続されスイッチギヤの下部から端部を立上げた下側ケーブルで、端子２１ａを介して接続部１８ｂと接続する。２２は箱体１の上部に設けた点検カバーで、これを取り外すことでケーブル室４内を上方から点検できる。２３は下部遮断器室２下方のケーブル室４前面に設けた点検カバーで、これを外すことでケーブル室４内に入ることが出来る。２４は母線室３の後面に設けた点検カバーで、これを外すことで母線室３内を点検することが出来る。
【０００５】
すなわち、上下２段に配置した遮断器室２の後方にケーブル室４を配置し、このケーブル室４中に上下遮断器室２にまたがった母線室３を配置し、この母線室３中にて上段遮断器５の下端子と下段遮断器５の上端子を第１の接続導体１５で接続し、この第１の接続導体１５の後方に三相母線８を断面の長手方向を上下方向とし三相各相導体を上下にかつ平行してスイッチギヤの幅方向に延在して配置し、各母線８と各第１の接続導体１５間を第２の接続導体１６でそれぞれ１対１に接続し、母線室３の上部及び下部にＣＴ１７を配置し、上段遮断器５の上端子から上部のＣＴ１７を経由して真っ直ぐ後方に向って母線室３の後端近傍まで上側ケーブル接続導体１８を導出し、下段遮断器５の下端子から下部のＣＴ１７を経由して真っ直ぐ後方に向って母線室３の後端近傍まで下側ケーブル接続導体１９を導出し、下方より立ち上がった上側ケーブル２０及び下側ケーブル２１にて上側ケーブル接続導体１８及び下側ケーブル接続導体１９にそれぞれ接続している。そして、箱体
１の前面側には制御機器室１３が配置されている。
【先行技術文献】
【特許文献】
【０００６】
【特許文献１】特開２００１−６１２０６号公報
【発明の概要】
【発明が解決しようとする課題】
【０００７】
上述した従来のスイッチギヤは、スイッチギヤの箱体１が、上下２段に配置した遮断器室２と、これら遮断器室２の後方に配置されるとともに上方側および下方側にそれぞれケーブル端末処理空間スペースを確保するための大きな空間スペースを有するケーブル室４と、このケーブル室４中に上下２段の遮断器室２にまたがって配置された母線室３と、上下２段の遮断器室２の前面側でかつケーブル室４の上方側端部および下方側端部まで伸長する制御機器室１３と、この制御機器室１３および上下２段の遮断器室２の開閉を行う扉１ａとにより構成されているので、スイッチギヤの高さを高くする必要があり、スイッチギヤの外形寸法が大きくなってしまうという問題があった。しかも、ケーブルの引込み方向が上側の場合にはそのケーブル施工においても、作業する位置が高くなるという問題があった。また、ケーブル端末処理空間スペースを確保するための大きな空間スペースの高さ分だけスイッチギヤの高さが大きくなるので、スイッチギヤ搬入時のエレベータの大きさや現地据付場所の電気室搬入口の大きさなどの制限を受けるという問題があった。
【０００８】
また、ケーブルの下引込みの場合で、ケーブル端末処理用として利用していた上側の空間スペースは、機能がなくなり無駄なスペースとなるという問題があった。別の方法として、遮断器室２や母線室３を全体的に下側に配置することで、ケーブル端末処理空間スペースを確保できるが、その場合、ケーブルの引込み方向によって、複数の構成を持つことになり、部品点数も増加してしまうという問題点があった。
【０００９】
この発明は、上記のような課題を解決するためになされたものであり、その目的は、ケーブルの引込み方向によって、内部構成を変えることなく部品点数を削減でき縮小化することができるスイッチギヤを提供するものである。
【課題を解決するための手段】
【００１０】
この発明に係わるスイッチギヤは、扉を有する箱体と、前記箱体の上端側および下端側に亘って上下２段に配置され上段側遮断器、下段側遮断器をそれぞれ収納する上段側遮断器室および下段側遮断器室と、前記上段側遮断器室および前記下段側遮断器室の後方に配置されたケーブル室と、前記ケーブル室中に前記上段側遮断器室および前記下段側遮断器室にまたがって配置された母線室と、前記上段側遮断器室および前記下段側遮断器室に隣接して配置された制御機器室と、前記母線室中に配置され前記上段側遮断器室の下部側端子と前記下段側遮断器室の上部側端子を接続する第１の接続導体と、前記第１の接続導体の後方に配置された母線と、前記母線と前記第１の接続導体間を接続する第２の接続導体と、前記母線室の上部側に配置された上部側ＣＴと、前記母線室の下部側に配置された下部側ＣＴと、前記上段側遮断器室の上部側端子から前記上部側ＣＴを経由して後方に向って前記母線室の後端近傍まで導出されケーブル引込方向に上部側接続部を有する上部側ケーブル接続導体と、前記下段側遮断器室の下部側端子から前記下部側ＣＴを経由して後方に向って前記母線室の後端近傍まで導出され前記上部側ケーブル接続導体の上部側接続部と同方向に下部側接続部を有する下部側ケーブル接続導体とを備えたものである。
【００１１】
また、この発明に係わるスイッチギヤは、箱体の前面に配置される扉と前記扉に設けられたハンドルとから構成される扉ユニットと、前記箱体の上端側に配置され上段側遮断器を収納する上段側遮断器室と前記上段側遮断器室に隣接して配置される上段側制御機器室
とから構成される上段側遮断器室ユニットと、前記箱体の下端側に配置され下段側遮断器を収納する下段側遮断器室と前記下段側遮断器室に隣接して配置される下段側制御機器室とから構成される下段側遮断器室ユニットと、前記上段側遮断器室ユニットおよび前記下段側遮断器室ユニットにまたがって配置される母線室と前記上段側遮断器室の下部側端子と前記下段側遮断器室の上部側端子を接続する第１の接続導体と前記第１の接続導体の後方に配置された母線と前記母線と前記第１の接続導体間を接続する第２の接続導体とにより構成される母線室ユニットと、前記母線室の上部側に配置される上部側ＣＴと前記上段側遮断器室の上部側端子から前記上部側ＣＴを経由して後方に向って前記母線室の後端近傍まで導出されケーブル引込方向に上部側接続部を有する上部側ケーブル接続導体から構成される上部側ＣＴユニットと、前記母線室の下部側に配置される下部側ＣＴと前記下段側遮断器室の下部側端子から前記下部側ＣＴを経由して後方に向って前記母線室の後端近傍まで導出され前記上部側ケーブル接続導体の上部側接続部と同方向に下部側接続部を有する下部側ケーブル接続導体から構成される下部側ＣＴユニットと、前記箱体の裏面部に配置されるカバーユニットとを備え、前記各ユニットはユニット毎に分割され、分割された前記各ユニットを一体的に組み立てることにより前記箱体およびケーブル室が形成されるものである。
【００１２】
また、この発明に係わるスイッチギヤは、扉を有する箱体と、前記箱体の上端側および下端側に亘って上下２段に配置され上段側遮断器、下段側遮断器をそれぞれ収納する上段側遮断器室および下段側遮断器室と、前記上段側遮断器室および前記下段側遮断器室の後方に配置されたケーブル室と、前記上段側遮断器室および前記下段側遮断器室との間に配置される母線室と、前記上段側遮断器室および前記下段側遮断器室に隣接して配置された制御機器室と、前記上段側遮断器室の下部側端子と前記下段側遮断器室の上部側端子を接続する第１の接続導体と、前記母線室内に配置され前記第１の接続導体の前方に配置された母線と、前記母線と前記第１の接続導体間を接続する第２の接続導体と、前記上段側遮断器室の後方側に配置された上部側ＣＴと、前記下段側遮断器室の後方側に配置された下部側ＣＴと、前記上段側遮断器室の上部側端子から前記上部側ＣＴを経由して下方側に向って導出されケーブル引込方向に上部側接続部を有する上部側ケーブル接続導体と、前記下段側遮断器室の下部側端子から前記下部側ＣＴを経由して上方側に向って導出され前記上部側ケーブル接続導体の上部側接続部と同方向に下部側接続部を有する下部側ケーブル接続導体とを備えたものである。
【００１３】
また、この発明に係わるスイッチギヤは、箱体の前面に配置される扉と前記扉に設けられたハンドルとから構成される扉ユニットと、前記箱体の上端側に配置され上段側遮断器を収納する上段側遮断器室と前記上段側遮断器室に隣接して配置される上段側制御機器室とから構成される上段側遮断器室ユニットと、前記箱体の下端側に配置され下段側遮断器を収納する下段側遮断器室と前記下段側遮断器室に隣接して配置される下段側制御機器室とから構成される下段側遮断器室ユニットと、前記上段側遮断器室および前記下段側遮断器室との間に配置される母線室と前記母線室中に配置される母線と前記上段側遮断器室の下部側端子と前記下段側遮断器室の上部側端子を接続する第１の接続導体と前記母線と前記第１の接続導体間を接続する第２の接続導体とにより構成される母線室ユニットと、前記上段側遮断器室の後方側に配置される上部側ＣＴと前記上段側遮断器室の上部側端子から前記上部側ＣＴを経由して下方側に向って導出されケーブル引込方向に上部側接続部を有する上部側ケーブル接続導体から構成される上部側ＣＴユニットと、前記下段側遮断器室の後方側に配置される下部側ＣＴと前記下段側遮断器室の下部側端子から前記下部側ＣＴを経由して上方側に向って導出され前記上部側ケーブル接続導体の上部側接続部と同方向に下部側接続部を有する下部側ケーブル接続導体から構成される下部側ＣＴユニットと、前記箱体の裏面部に配置されるカバーユニットとを備え、前記各ユニットはユニット毎に分割され、分割された前記各ユニットを一体的に組み立てることにより前記箱体およびケーブル室が形成されるものである。
【００１４】
また、この発明に係わるスイッチギヤは、箱体の前面に配置される扉と前記扉に設けられたハンドルとから構成される扉ユニットと、前記箱体に配置され遮断器を収納する遮断器室と前記遮断器室に隣接して配置される制御機器室とから構成される遮断器室ユニットと、前記遮断器室の下方側に配置される母線室と前記母線室中に配置される母線と前記遮断器室の下部側端子から導出された第１の接続導体と前記母線と前記第１の接続導体間を接続する第２の接続導体とにより構成される母線室ユニットと、前記遮断器室の後方側に配置されるＣＴと前記遮断器室の上部側端子から前記ＣＴを経由して後方側に向って導出されケーブル引込方向に接続部を有するケーブル接続導体から構成されるＣＴユニットと、前記箱体の裏面部に配置されるカバーユニットとを備え、前記各ユニットはユニット毎に分割され、分割された前記各ユニットを一体的に組み立てることにより前記箱体およびケーブル室が形成されるものである。
【発明の効果】
【００１５】
この発明に係わるスイッチギヤによれば、ケーブルの引込み方向によって、内部構成を変えることなく部品点数を削減でき縮小化することができるスイッチギヤを得ることができる。
【図面の簡単な説明】
【００１６】
【図１】この発明の実施の形態１に係わるスイッチギヤを示す側断面図である。
【図２】この発明の実施の形態１に係わるスイッチギヤの他の例を示す側断面図である。
【図３】この発明の実施の形態１に係わるスイッチギヤの他の例を示す側断面図である。
【図４】この発明の実施の形態１に係わるスイッチギヤの他の例を示す側断面図である。
【図５】この発明の実施の形態２に係わるスイッチギヤを示す側断面図である。
【図６】この発明の実施の形態３に係わるスイッチギヤを示す側断面図である。
【図７】この発明の実施の形態４に係わるスイッチギヤを分解した状態で示す側断面図である。
【図８】この発明の実施の形態５に係わるスイッチギヤを分解した状態で示す側断面図である。
【図９】この発明の実施の形態５に係わるスイッチギヤを組み立てた状態を示す側断面図である。
【図１０】この発明の実施の形態５に係わるスイッチギヤを組み立てた状態の他の例を示す側断面図である。
【図１１】この発明の実施の形態６に係わるスイッチギヤを示す側断面図である。
【図１２】従来のスイッチギヤを示す側断面図である。
【発明を実施するための形態】
【００１７】
実施の形態１．
以下、この発明の実施の形態１を図１および図２に基づいて説明するが、各図において、同一、または相当部材、部位については同一符号を付して説明する。図１はこの発明の実施の形態１に係わるスイッチギヤを示す側断面図であり、ケーブルの引込み方向が下側の場合を示している。図２はこの発明の実施の形態１に係わるスイッチギヤの他の例を示す側断面図であり、ケーブルの引込み方向が上側の場合を示している。
【００１８】
これら各図において、１０１は扉１０２を有する箱体であり、扉１０２はハンドル１０３が設けられている。１０４および１０５は箱体１０１の上端側および下端側に亘って上下２段に配置され上段側遮断器１０６、下段側遮断器１０７をそれぞれ収納する上段側遮
断器室および下段側遮断器室である。１０８は箱体１０１の上段側遮断器室１０４および下段側遮断器室１０５の後方に配置されたケーブル室、１０９はケーブル室１０８中に上段側遮断器室１０４および下段側遮断器室１０５にまたがって配置された母線室、１１０および１１１は上段側遮断器室１０４および下段側遮断器室１０５に隣接して配置された上段側制御機器室および下段側制御機器室であり、図は一例として上段側遮断器室１０４および下段側遮断器室１０５の前面側に配置された場合を示している。
【００１９】
１１２は上段側遮断器室１０４のケーブル側ブッシング、１１３は上段側遮断器室１０４の母線側ブッシング、１１４は下段側遮断器室１０５のケーブル側ブッシング、１１５は下段側遮断器室１０５の母線側ブッシング、１１６は上段側遮断器室１０４の上部側端子、１１７は上段側遮断器室１０４の下部側端子、１１８は下段側遮断器室１０５の上部側端子、１１９は下段側遮断器室１０５の下部側端子である。
【００２０】
１２０は母線室１０９中に配置され上段側遮断器室１０４の下部側端子１１７と下段側遮断器室１０５の上部側端子１１８を接続する第１の接続導体、１２１は第１の接続導体１２０の後方に垂直方向に配置された母線、１２２は母線１２１と第１の接続導体１２０間を接続する第２の接続導体である。
【００２１】
１２３は母線室１０９の上部側に配置された上部側ＣＴ、１２４は母線室１０９の下部側に配置された下部側ＣＴ、１２５は上段側遮断器室１０４の上部側端子１１６から上部側ＣＴ１２３を経由して後方に向って母線室１０９の後端近傍まで導出されケーブル引込方向に例えば傾斜された上部側接続部１２５ａを有する上部側ケーブル接続導体であり、支持碍子１２６により支持されている。１２７は下段側遮断器室１０５の下部側端子１１９から下部側ＣＴ１２４を経由して後方に向って母線室１０９の後端近傍まで導出され上部側ケーブル接続導体１２５の上部側接続部１２５ａと同方向に例えば傾斜された下部側接続部１２７ａを有する下部側ケーブル接続導体であり、支持碍子１２８により支持されている。１２９は箱体１０１の裏面カバーである。
【００２２】
なお、図１の場合は、ケーブルの引込み方向が下側の場合であり、上部側ケーブル接続導体１２５の上部側接続部１２５ａが下方向側に斜めに傾斜され、下部側ケーブル接続導体１２７の下部側接続部１２７ａも上部側ケーブル接続導体１２５の上部側接続部１２５ａと同方向の下方向側に斜めに傾斜された場合を示している。また、図２の場合は、ケーブルの引込み方向が上側の場合であり、上部側ケーブル接続導体１２５の上部側接続部１２５ａが上方向側に斜めに傾斜され、下部側ケーブル接続導体１２７の下部側接続部１２７ａも上部側ケーブル接続導体１２５の上部側接続部１２５ａと同方向の上方向側に斜めに傾斜された場合を示している。
【００２３】
この実施の形態１によるスイッチギヤは、箱体１０１の上端側および下端側に亘って上下２段に配置され上段側遮断器１０６、下段側遮断器１０７をそれぞれ収納する上段側遮断器室１０４および下段側遮断器室１０５を配置し、これら上段側遮断器室１０４および下段側遮断器室１０５の後方にケーブル室１０８を配置し、このケーブル室１０８中に上段側遮断器室１０４および下段側遮断器室１０５にまたがって母線室１０９を配置し、上段側遮断器室１０４および下段側遮断器室１０５に隣接して上段側制御機器室１１０、下段側制御機器室１１１を配置し、母線室１０９中に上段側遮断器室１０４の下部側端子１１７と下段側遮断器室１０５の上部側端子１１８を接続する第１の接続導体１２０を配置し、第１の接続導体１２０の後方に母線１２１を配置し、母線１２１と第１の接続導体１２０間を接続する第２の接続導体１２２を配置し、母線室１０９の上部側に上部側ＣＴ１２３を配置し、母線室１０９の下部側に下部側ＣＴ１２４を配置し、上段側遮断器室１０４の上部側端子１１６から上部側ＣＴ１２３を経由して後方に向って母線室１０９の後端近傍まで導出されケーブル引込方向に傾斜された上部側接続部１２５ａを有する上部側ケ
ーブル接続導体１２５を配置し、下段側遮断器室１０５の下部側端子１１９から下部側ＣＴ１２４を経由して後方に向って母線室１０９の後端近傍まで導出され上部側ケーブル接続導体１２５の上部側接続部１２５ａと同方向に傾斜された下部側接続部１２７ａを有する下部側ケーブル接続導体１２７を配置したものであり、箱体１０１の上部側および下部側にはケーブル端末処理空間スペースの無いコンパクトなスイッチギヤとしたことにより、スイッチギヤの高さは上段側遮断器室１０４と下段側遮断器室１０５の二段積み高さ程度となり、スイッチギヤ搬入時のエレベータの大きさや現地据付場所の電気室搬入口の大きさなどの制限を受けにくくなるメリットがある。
【００２４】
また、図１はケーブルの下引込みの場合を示しており、上部側ケーブル接続導体１２５の上部側接続部１２５ａは下方側に傾斜された構成とされ、下部側ケーブル接続導体１２７の下部側接続部１２７ａも上部側ケーブル接続導体１２５の上部側接続部１２５ａと同様に下方側に傾斜された構成とされている。ケーブルの上引込みの場合には図２に示すように上部側ケーブル接続導体１２５の上部側接続部１２５ａを上方側に傾斜させて取り付け、下部側ケーブル接続導体１２７の下部側接続部１２７ａも上部側ケーブル接続導体１２５の上部側接続部１２５ａと同様に上方側に傾斜させて取り付けるだけでよく、スイッチギヤの内部構成を変える必要がない。よって、ケーブルの引込み方向ごとに部品の種類を持つ必要がなくなるので、部品点数を削減することができる。
また、図１および図２においては、上部側ケーブル接続導体１２５の上部側接続部１２５ａおよび下部側ケーブル接続導体１２７の下部側接続部１２７ａが傾斜された場合について述べたが、これに限定されるものではなく、図３に示すように、上部側ケーブル接続導体１２５の上部側接続部１２５ｂおよび下部側ケーブル接続導体１２７の下部側接続部１２７ｂを垂直方向に配置してもよく、あるいは、図４に示すように、上部側ケーブル接続導体１２５の上部側接続部１２５ｃおよび下部側ケーブル接続導体１２７の下部側接続部１２７ｃを水平方向に配置してもよく、同様の効果を奏する。
【００２５】
実施の形態２．
この発明の実施の形態２を図５に基づいて説明する。図５はこの発明の実施の形態２に係わるスイッチギヤを示す側断面図である。
【００２６】
図５はケーブルの上引込みの場合を示しており、上部側ケーブル接続導体１２５の上部側接続部１２５ａを上方側に傾斜させて取り付け、下部側ケーブル接続導体１２７の下部側接続部１２７ａも上部側ケーブル接続導体１２５の上部側接続部１２５ａと同様に上方側に傾斜させて取り付けられている。スイッチギヤの箱体１０１のケーブル室１０８の上部側にケーブル端末処理用ＢＯＸ１３０が取り付けられており、このケーブル端末処理用ＢＯＸ１３０の高さはケーブルサイズ・現地作業性・電気室の大きさ等に応じて決定される。そして、現地作業として、上部側外線ケーブル１３１の接続端子１３１ａは上部側ケーブル接続導体１２５の上部側接続部１２５ａに接続され、下部側外線ケーブル１３２の接続端子１３２ａは下部側ケーブル接続導体１２７の下部側接続部１２７ａに接続される。
【００２７】
この実施の形態２によれば、ケーブル端末処理用ＢＯＸ１３０の高さを必要最小端末処理寸法とすれば、縮小化されたスイッチギヤの基本構成と合わせて、スイッチギヤ全体がコンパクトになる。
【００２８】
また、上部側外線ケーブル１３１および下部側外線ケーブル１３２のケーブルサイズが大きい場合のケーブル接続時の作業性確保や、電気室の上部のレイアウトの制約への対応は、スイッチギヤ１面ごとで、かつスイッチギヤの基本構成を変更することなく、ケーブル端末処理用ＢＯＸ１３０の高さを変更するだけで可能になる。
【００２９】
また、スイッチギヤの上部のケーブル端末処理用ＢＯＸ１３０を取り外し、スイッチギヤの基本構成の状態で出荷すれば、ケーブル端末処理スペースの高さ分だけスイッチギヤの高さが小さくなるので、エレベータの大きさや現地据付場所の電気室搬入口の大きさの制限を受けにくくなるメリットがある。
【００３０】
実施の形態３．
この発明の実施の形態３を図６に基づいて説明する。図６はこの発明の実施の形態３に係わるスイッチギヤを示す側断面図である。
【００３１】
図６はケーブルの下引込みの場合を示しており、上部側ケーブル接続導体１２５の上部側接続部１２５ａを下方側に傾斜させて取り付け、下部側ケーブル接続導体１２７の下部側接続部１２７ａも上部側ケーブル接続導体１２５の上部側接続部１２５ａと同様に下方側に傾斜させて取り付けられている。電気室内のケーブルピット内にケーブル端末処理用ＢＯＸ１３３が収納されており、このケーブル端末処理用ＢＯＸ１３３の高さはケーブルサイズ・現地作業性・電気室の大きさ等に応じて決定される。そして、現地作業として、上部側外線ケーブル１３４の接続端子１３４ａは上部側ケーブル接続導体１２５の上部側接続部１２５ａに接続され、下部側外線ケーブル１３５の接続端子１３５ａは下部側ケーブル接続導体１２７の下部側接続部１２７ａに接続される。ケーブルの端末処理寸法および曲げＲを確保できるケーブルピットスペースがない場合は、スイッチギヤの基本構成の下部全体に嵩上げＢＯＸ１３６を取り付けてもよい。
【００３２】
この実施の形態３によれば、ケーブル端末処理用ＢＯＸ１３３の高さを必要最小端末処理寸法とすれば、縮小化されたスイッチギヤの基本構成と合わせて、スイッチギヤ全体がコンパクトになる。また、上部側外線ケーブル１３１および下部側外線ケーブル１３２のケーブルサイズが大きい場合のケーブル接続時の作業性確保や、電気室のケーブルピットスペースのレイアウトの制約への対応は、スイッチギヤ１面ごとで、かつスイッチギヤの基本構成を変更することなく、ケーブル端末処理用ＢＯＸ１３６の高さを変更するだけで可能になる。
【００３３】
また、電気室のケーブルピットスペースに余裕がある場合は、ケーブル端末処理用ＢＯＸ１３３をピット内に収納することで、スイッチギヤの高さを縮小化できる。また、ピットスペースに余裕がない場合は、ケーブル端末処理スペースを有したスイッチギヤの嵩上げＢＯＸ１３６を取り付けすることで対応できる。さらに、後面スペースが確保できない場合に、嵩上げＢＯＸ１３６の高さをメンテナンス作業が可能な寸法に変更することで、天井と前面からの保守が可能になる。
【００３４】
また、スイッチギヤの上部のケーブル端末処理用ＢＯＸ１３０を取り外し、スイッチギヤの基本構成の状態で出荷すれば、ケーブル端末処理スペースの高さ分だけスイッチギヤの高さが小さくなるので、エレベータの大きさや現地据付場所の電気室搬入口の大きさの制限を受けにくくなるメリットがある。
【００３５】
実施の形態４．
この発明の実施の形態４を図７に基づいて説明する。図７はこの発明の実施の形態４に係わるスイッチギヤを分解した状態で示す側断面図である。
【００３６】
図７において、２００は後述する箱体１０１の前面に配置される扉１０２と扉１０２に設けられたハンドル１０３とから構成される扉ユニットである。３００は箱体１０１の上端側に配置され上段側遮断器１０６を収納する上段側遮断器室１０４と、上段側遮断器室１０４に隣接して配置される上段側制御機器室１１０とから構成される上段側遮断器室ユニットである。４００は箱体１０１の下端側に配置され下段側遮断器１０７を収納する下
段側遮断器室１０５と、下段側遮断器室１０５に隣接して配置される下段側制御機器室１１１とから構成される下段側遮断器室ユニットである。５００は上段側遮断器室ユニット３００および下段側遮断器室ユニット４００にまたがって配置される母線室１０９と、上段側遮断器室１０４の下部側端子１１７と下段側遮断器室１０５の上部側端子１１８を接続する第１の接続導体１２０と、第１の接続導体１２０の後方に配置された母線１２１と、母線１２１と第１の接続導体１２０間を接続する第２の接続導体１２２とにより構成される母線室ユニットである。６００は母線室１０９の上部側に配置される上部側ＣＴ１２３と上段側遮断器室１０４の上部側端子１１６から上部側ＣＴ１２３を経由して後方に向って母線室１０９の後端近傍まで導出されケーブル引込方向に傾斜された上部側接続部１２５ａを有する上部側ケーブル接続導体１２５から構成される上部側ＣＴユニットである。７００は母線室１０９の下部側に配置される下部側ＣＴ１２４と下段側遮断器室１０５の下部側端子１１９から下部側ＣＴ１２４を経由して後方に向って母線室１０９の後端近傍まで導出され上部側ケーブル接続導体１２５の上部側接続部１２５ａと同方向に傾斜された下部側接続部１２７ａを有する下部側ケーブル接続導体１２７から構成される下部側ＣＴユニットである。８００は箱体１０１の裏面部に配置される裏面カバー１２９で構成されるカバーユニットである。これら各ユニットはユニット毎に分割され、分割された各ユニットを一体的に組み立てることにより箱体１０１およびケーブル室１０８が形成される。
【００３７】
この発明の実施の形態４においては、扉ユニット２００、上段側遮断器室ユニット３００、下段側遮断器室ユニット４００、母線室ユニット５００、上部側ＣＴユニット６００、下部側ＣＴユニット７００、カバーユニット８００の機能毎の要素分品としてのユニット毎に分割されている。扉ユニット２００とカバーユニット８００以外は構成可能な最小の大きさで箱状ユニットに構成され、それぞれは箱状ユニットに設けられた接続部（図示せず）で接続される。
【００３８】
上段側遮断器室ユニット３００と下段側遮断器室ユニット４００の形状は同形状で構成され、上部側ＣＴユニット６００と下部側ＣＴユニット７００の形状は同形状で構成されており、その箱状ユニットの要素部品の組み合せにより、異なる基本構成を得ることが可能である。
【００３９】
この発明の実施の形態４によれば、スイッチギヤの基本構成の状態で出荷することにより、ケーブル端末処理スペースの高さ分だけスイッチギヤの高さが小さくなるので、エレベータの大きさや現地据付場所の電気室搬入口の大きさの制限を受けにくくなるメリットがある。また、スイッチギヤの基本構成を機能毎の要素分品としてのユニット毎に分割したことにより、別の基本構成を製作する際、同じ要素部品のユニットを流用することができ、部品点数を削減することができる。また、上下２段積みの構成の場合は、上下で要素部品のユニット形状を同じにすれば、さらに部品点数の削減を図ることができる。さらに、足りない部分の要素部品のみ設計すればよいので、１から図面を作成する必要がなくなり製造コストの低減も図ることができる。
【００４０】
実施の形態５．
この発明の実施の形態５を図８〜図１０に基づいて説明するが、各図において、同一、または相当部材、部位については同一符号を付して説明する。図８はこの発明の実施の形態５に係わるスイッチギヤを分解した状態で示す側断面図である。図９はこの発明の実施の形態５に係わるスイッチギヤを組み立てた状態を示す側断面図である。図１０はこの発明の実施の形態５に係わるスイッチギヤを組み立てた状態の他の例を示す側断面図である。
【００４１】
これら各図において、２００は後述する箱体１０１の前面に配置される扉１０２と扉１
０２に設けられたハンドル１０３とから構成される扉ユニットである。３００は箱体１０１の上端側に配置され上段側遮断器１０６を収納する上段側遮断器室１０４と、上段側遮断器室１０４に隣接して配置される上段側制御機器室１１０とから構成される上段側遮断器室ユニットである。４００は箱体１０１の下端側に配置され下段側遮断器１０７を収納する下段側遮断器室１０５と、下段側遮断器室１０５に隣接して配置される下段側制御機器室１１１とから構成される下段側遮断器室ユニットである。５０１は上段側遮断器室ユニット３００および下段側遮断器室ユニット４００との間に配置される母線室５０９と、上段側遮断器室１０４の下部側端子１１７と下段側遮断器室１０５の上部側端子１１８を接続する第１の接続導体５２０と、第１の接続導体５２０の前方で母線室５０９内に水平方向に配置された母線５２１と、母線５２１と第１の接続導体５２０間を接続する第２の接続導体５２２とにより構成される母線室ユニットである。６０１は上段側遮断器室ユニット３００の後方側に垂直方向に配置される上部側ＣＴ６２３と、上段側遮断器室１０４の上部側端子１１６から上部側ＣＴ６２３を経由して下方側に向って導出されケーブル引込方向に傾斜された上部側接続部６２５ａを有する上部側ケーブル接続導体６２５から構成される上部側ＣＴユニットである。７０１は下段側遮断器室ユニット４００の後方側に垂直方向に配置される下部側ＣＴ７２４と、下段側遮断器室１０５の下部側端子１１９から下部側ＣＴ７２４を経由して上方側に向って導出され上部側ケーブル接続導体６２５の上部側接続部６２５ａと同方向に傾斜された下部側接続部７２７ａを有する下部側ケーブル接続導体７２７から構成される下部側ＣＴユニットである。８００は箱体１０１の裏面部に配置される裏面カバー１２９で構成されるカバーユニットである。これら各ユニットはユニット毎に分割され、分割された各ユニットを一体的に組み立てることにより箱体１０１およびケーブル室１０８が形成される。
【００４２】
この発明の実施の形態５においては、扉ユニット２００、上段側遮断器室ユニット３００、下段側遮断器室ユニット４００、母線室ユニット５０１、上部側ＣＴユニット６０１、下部側ＣＴユニット７０１、カバーユニット８００の機能毎の要素分品としてのユニット毎に分割されている。扉ユニット２００とカバーユニット８００以外は構成可能な最小の大きさで箱状ユニットに構成され、それぞれは箱状ユニットに設けられた接続部（図示せず）で接続される。
【００４３】
上段側遮断器室ユニット３００と下段側遮断器室ユニット４００の形状は同形状で構成され、上部側ＣＴユニット６０１と下部側ＣＴユニット７０１の形状は同形状で構成されており、その箱状ユニットの要素部品の組み合せにより、異なる基本構成を得ることが可能である。
【００４４】
この発明の実施の形態５によれば、スイッチギヤの基本構成の状態で出荷することにより、ケーブル端末処理スペースの高さ分だけスイッチギヤの高さが小さくなるので、エレベータの大きさや現地据付場所の電気室搬入口の大きさの制限を受けにくくなるメリットがある。また、スイッチギヤの基本構成を機能毎の要素分品としてのユニット毎に分割したことにより、別の基本構成を製作する際、同じ要素部品のユニットを流用することができ、部品点数を削減することができる。また、上下２段積みの構成の場合は、上下で要素部品のユニット形状を同じにすれば、さらに部品点数の削減を図ることができる。さらに、足りない部分の要素部品のみ設計すればよいので、１から図面を作成する必要がなくなり製造コストの低減も図ることができる。
【００４５】
また、母線５２１を水平方向に配置した母線室５０９を上段側遮断器室ユニット３００と下段側遮断器室ユニット４００との間に配置したことにより、スイッチギヤの奥行き寸法を著しく縮小化することができる。
【００４６】
また、上部側ＣＴ６２３および下部側ＣＴ７２４は上段側遮断器室ユニット３００およ
び下段側遮断器室ユニット４００のそれぞれの後方側に垂直方向に配置したことにより、ケーブル端末処理用ＢＯＸがなくても、最小端末処理寸法を有するスイッチギヤを得ることができる。
【００４７】
図９はケーブルの下引込みの場合を示しており、扉ユニット２００、上段側遮断器室ユニット３００、下段側遮断器室ユニット４００、母線室ユニット５０１、上部側ＣＴユニット６０１、下部側ＣＴユニット７０１、カバーユニット８００の機能毎の要素分品としてのユニット毎に分割された各ユニットを一体的に組み立てることにより箱体１０１およびケーブル室１０８が形成された場合を示している。
【００４８】
図１０はケーブルの上引込みの場合を示しており、扉ユニット２００、上段側遮断器室ユニット３００、下段側遮断器室ユニット４００、母線室ユニット５０１、上部側ＣＴユニット６０１、下部側ＣＴユニット７０１、カバーユニット８００の機能毎の要素分品としてのユニット毎に分割された各ユニットを一体的に組み立てることにより箱体１０１およびケーブル室１０８が形成された場合を示している。
【００４９】
ところで、図８において、上部側ＣＴユニット６０１と下部側ＣＴユニット７０１の形状は同形状で構成されているので、ケーブルの上引込みの場合には、上部側ＣＴユニット６０１を上下に反転して下部側ＣＴユニット７０１として流用し、下部側ＣＴユニット７０１を上下に反転して上部側ＣＴユニット６０１として流用することにより、図１０に示すケーブルの上引込みに対応することができ、スイッチギヤの内部構成を変える必要がなく、ケーブルの引込み方向ごとに部品の種類を持つ必要がなくなるので、部品点数を削減することができる。
【００５０】
また、実施の形態５においては、扉ユニット２００、上段側遮断器室ユニット３００、下段側遮断器室ユニット４００、母線室ユニット５０１、上部側ＣＴユニット６０１、下部側ＣＴユニット７０１、カバーユニット８００の機能毎の要素分品としてのユニット毎に分割された各ユニットを一体的に組み立てることにより箱体１０１およびケーブル室１０８が形成された場合について述べたが、必ずしも機能毎の要素分品としてのユニット毎に分割されていなくてもよく、図９および図１０の構成を一体構造体として得るようにしてもよく、同様の効果を奏する。
【００５１】
実施の形態６．
この発明の実施の形態６を図１１に基づいて説明する。図１１はこの発明の実施の形態６に係わるスイッチギヤを示す側断面図である。
【００５２】
この発明の実施の形態６においては、遮断器が一段積みの場合を示しており、２０１は後述する箱体１０１の前面に配置される扉２０２と扉２０２に設けられたハンドル２０３とから構成される扉ユニットである。３０１は箱体１０１に配置され遮断器１０６ａを収納する遮断器室１０４ａと、遮断器室１０４ａに隣接して配置される制御機器室１１０ａとから構成される遮断器室ユニットである。５０２は遮断器室１０４ａの下方側に配置される母線室５０９ａと、母線室５０９ａ中に配置される母線５２１と、遮断器室１０４ａの下部側端子１１７から導出された第１の接続導体５２０ａと、母線５２１と第１の接続導体５２０ａ間を接続する第２の接続導体５２２ａとにより構成される母線室ユニットである。６０２は遮断器室１０４ａの後方側に水平方向に配置されるＣＴ１２３ａと、遮断器室１０４ａの上部側端子１１６からＣＴ１２３ａを経由して後方側に向って導出されケーブル引込方向に傾斜された接続部１２５１ａを有するケーブル接続導体１２５１から構成されるＣＴユニットである。８０１は箱体１０１の裏面部に配置される裏面カバー１２９ａで構成されるカバーユニットである。これら各ユニットはユニット毎に分割され、分割された前記各ユニットを一体的に組み立てることにより箱体１０１およびケーブル室１
０８が形成される。
【００５３】
この発明の実施の形態６においては、扉ユニット２０１、遮断器室ユニット３０１、母線室ユニット５０２、ＣＴユニット６０２、カバーユニット８０１の機能毎の要素分品としてのユニット毎に分割されている。扉ユニット２０１とカバーユニット８０１以外は構成可能な最小の大きさで箱状ユニットに構成され、それぞれは箱状ユニットに設けられた接続部（図示せず）で接続される。扉ユニット２０１とカバーユニット８０１の高さはそれぞれ遮断器室ユニット３０１と母線室ユニット５０２とを積み合わせた程度となる。
【００５４】
この発明の実施の形態６によれば、スイッチギヤの高さは遮断器室ユニット３０１と母線室ユニット５０２とを積み合わせた程度となり、スイッチギヤの高さを縮小化することができる。そのため、エレベータの大きさや現地据付場所の電気室搬入口の大きさの制限を受けにくくなるメリットがある。
【００５５】
なお、この発明は、その発明の範囲内において、各実施の形態を自由に組み合わせたり、各実施の形態を適宜、変形、省略することが可能である。
【産業上の利用可能性】
【００５６】
この発明は、ケーブルの引込み方向によって、内部構成を変えることなく部品点数を削減でき縮小化することができるスイッチギヤの実現に好適である。
【符号の説明】
【００５７】
１０１  箱体、１０２  扉、１０３  ハンドル、１０４  上段側遮断器室、１０４ａ  遮断器室、１０５  下段側遮断器室、１０６  上段側遮断器、１０６ａ  遮断器、１０７
下段側遮断器、１０８  ケーブル室、１０９  母線室、１１０  上段側制御機器室、１１０ａ  制御機器室、１１１  下段側制御機器室、１１６  上部側端子、１１７  下部側端子、１１８  上部側端子、１１９  下部側端子、１２０  第１の接続導体、１２１  母線、１２２  第２の接続導体、１２３  上部側ＣＴ、１２３ａ  ＣＴ、１２４  下部側ＣＴ、１２５  上部側ケーブル接続導体、１２５ａ  上部側接続部、１２５ｂ  上部側接続部、１２５ｃ  上部側接続部、１２７  下部側ケーブル接続導体、１２７ａ  下部側接続部、１２７ｂ  下部側接続部、１２７ｃ  下部側接続部、１２９  裏面カバー、１２９ａ
裏面カバー、２００  扉ユニット、２０１  扉ユニット、２０２  扉、２０３  ハンドル、３００  上段側遮断器室ユニット、３０１  遮断器室ユニット、４００  下段側遮断器室ユニット、５００  母線室ユニット、５０１  母線室ユニット、５０２  母線室ユニット、５０９  母線室、５０９ａ  母線室、５２０  第１の接続導体、５２０ａ  第１の接続導体、５２１  母線、５２２  第２の接続導体、５２２ａ  第２の接続導体、６００
上部側ＣＴユニット、６０１  上部側ＣＴユニット、６０２  ＣＴユニット、６２３  上部側ＣＴ、６２５  上部側ケーブル接続導体、６２５ａ  上部側接続部、７００  下部側ＣＴユニット、７０１  下部側ＣＴユニット、７２４  下部側ＣＴ、７２７  下部側ケーブル接続導体、７２７ａ  下部側接続部、８００  カバーユニット、８０１  カバーユニット、１２５１  ケーブル接続導体、１２５１ａ  接続部。
【図１】
2014150606.tif 000003
【図２】
2014150606.tif 000004
【図３】
2014150606.tif 000005
【図４】
2014150606.tif 000006
【図５】
2014150606.tif 000007
【図６】
2014150606.tif 000008
【図７】
2014150606.tif 000009
【図８】
2014150606.tif 000010
【図９】
2014150606.tif 000011
【図１０】
2014150606.tif 000012
【図１１】
2014150606.tif 000013
【図１２】
2014150606.tif 000014